【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
多数の素子の少なくとも第１の素子が決定可能なパラメータを有する多数の素子であって、多数のキュービットを含む多数の素子と、
前記多数の素子の前記少なくとも第１の素子と通信可能に結合できる較正信号源であって、較正信号を提供する較正信号源と、
前記多数の素子の前記少なくとも第１の素子と通信可能に結合できる読み出しシステムであって、前記第１の素子の前記決定可能なパラメータに対する値を決定するため、前記較正信号と前記第１の素子の前記決定可能なパラメータの両方に依存する信号を読み出す読み出しシステムと
を備える量子プロセッサ。
【請求項２】
前記較正信号源は、前記第１の素子と直接的に通信可能に結合できる、請求項１に記載の量子プロセッサ。
【請求項３】
前記多数の素子は、第２の素子を含み、前記第２の素子は、前記第１の素子と通信可能に結合でき、前記較正信号源は、前記第２の素子と直接的に通信可能に結合でき、また、前記第２の素子を介して、前記第１の素子と間接的に通信可能に結合でき、その結果、前記第２の素子は、前記較正信号源と前記第１の素子との間の通信可能な結合を仲介する、請求項１に記載の量子プロセッサ。
【請求項４】
前記多数の素子は、少なくとも第３の素子を含み、前記少なくとも第３の素子は、前記第２の素子と前記第１の素子の両方と通信可能に結合でき、前記較正信号源は、前記第２の素子および前記少なくとも第３の素子を介して、前記第１の素子と間接的に通信可能に結合でき、その結果、前記第２の素子および前記少なくとも第３の素子は、前記較正信号源と前記第１の素子との間の通信可能な結合を仲介する、請求項３に記載の量子プロセッサ。
【請求項５】
前記読み出しシステムは、前記第１の素子と直接的に通信可能に結合できる、請求項１に記載の量子プロセッサ。
【請求項６】
前記多数の素子は、第２の素子を含み、前記第２の素子は、前記第１の素子と通信可能に結合でき、前記読み出しシステムは、前記第２の素子と直接的に通信可能に結合でき、また、前記第２の素子を介して、前記第１の素子と間接的に通信可能に結合でき、その結果、前記第２の素子は、前記読み出しシステムと前記第１の素子との間の通信可能な結合を仲介する、請求項１に記載の量子プロセッサ。
【請求項７】
前記多数の素子は、少なくとも第３の素子を含み、前記少なくとも第３の素子は、前記第２の素子と前記第１の素子の両方と通信可能に結合でき、前記読み出しシステムは、前記第２の素子および前記少なくとも第３の素子を介して、前記第１の素子と間接的に通信可能に結合でき、その結果、前記第２の素子および前記少なくとも第３の素子は、前記読み出しシステムと前記第１の素子との間の通信可能な結合を仲介する、請求項６に記載の量子プロセッサ。
【請求項８】
前記量子プロセッサは、超電導量子プロセッサを含み、前記多数の素子は、多数の超電導素子を含み、前記第１の素子は、第１の超電導素子であり、前記多数のキュービットは、多数の超電導キュービットを含み、前記較正信号源は、超電導電流経路によって形成された超電導較正線を含む、請求項１に記載の量子プロセッサ。
【請求項９】
前記超電導較正線は、前記多数の超電導素子の少なくとも１つの超電導素子とガルバニック結合される、請求項８に記載の量子プロセッサ。
【請求項１０】
前記超電導較正線は、前記多数の超電導素子の少なくとも１つの超電導素子と誘導結合される、請求項８に記載の量子プロセッサ。
【請求項１１】
前記決定可能なパラメータは、前記第１の超電導素子の永久電流を含む、請求項８に記載の量子プロセッサ。
【請求項１２】
前記多数の超電導素子は、前記第１の超電導素子と誘導結合できる少なくとも第２の超電導素子を含み、前記第１の超電導素子の前記決定可能なパラメータは、前記第１の超電導素子と前記第２の超電導素子との間の相互インダクタンスを含む、請求項８に記載の量子プロセッサ。
【請求項１３】
前記多数の素子は、決定可能なパラメータを有する少なくとも第２の素子を含み、前記較正信号源は、前記少なくとも第２の素子と通信可能に結合でき、前記読み出しシステムは、前記少なくとも第２の素子と通信可能に結合でき、前記読み出しシステムは、前記少なくとも第２の素子の前記決定可能なパラメータに対する値を決定するため、前記較正信号と前記少なくとも第２の素子の前記決定可能なパラメータの両方に依存する信号を読み出す、請求項１に記載の量子プロセッサ。
【請求項１４】
量子プロセッサの少なくとも１つの素子を較正する方法であって、前記量子プロセッサは、少なくとも第１の決定可能なパラメータを有する少なくとも第１の素子を含む多数の素子と、前記少なくとも第１の素子と通信可能に結合できる較正信号源と、前記少なくとも第１の素子と通信可能に結合できる読み出しシステムとを含む、方法であり、
前記較正信号源を介して前記量子プロセッサに較正信号を印加するステップと、
前記較正信号の少なくとも一部分を前記較正信号源から前記第１の素子に通信可能に結合するステップと、
前記読み出しシステムを介して、前記較正信号と前記第１の素子の前記第１の決定可能なパラメータの両方に依存する信号を読み出すステップと、
前記読み出しシステムを介して読み出された前記信号に少なくとも部分的に基づいて、前記第１の素子の前記第１の決定可能なパラメータに対する値を決定するステップと
を含む、方法。
【請求項１５】
前記較正信号源は、前記第１の素子と直接的に通信可能に結合でき、その結果、前記較正信号の少なくとも一部分を前記較正信号源から前記第１の素子に通信可能に結合するステップは、前記較正信号の少なくとも一部分を前記較正信号源から直接、前記第１の素子に通信可能に結合するステップを含む、請求項１４に記載の方法。
【請求項１６】
前記量子プロセッサは、少なくとも第２の素子を含み、前記少なくとも第２の素子は、前記第１の素子と通信可能に結合でき、前記較正信号の少なくとも一部分を前記較正信号源から前記第１の素子に通信可能に結合するステップは、前記較正信号の少なくとも一部分を前記較正信号源から前記少なくとも第２の素子に通信可能に結合し、また、前記較正信号の少なくとも一部分を前記少なくとも第２の素子から前記第１の素子に通信可能に結合するステップを含み、その結果、前記少なくとも第２の素子は、前記較正信号源と前記第１の素子との間の通信可能な結合を仲介する、請求項１４に記載の方法。
【請求項１７】
前記読み出しシステムは、前記第１の素子と直接的に通信可能に結合でき、その結果、前記読み出しシステムを介して、前記較正信号と前記第１の素子の前記第１の決定可能なパラメータの両方に依存する信号を読み出すステップは、前記読み出しシステムを介して、前記第１の素子から直接、前記信号の少なくとも一部分を読み出すステップを含む、請求項１４に記載の方法。
【請求項１８】
前記量子プロセッサは、少なくとも第２の素子を含み、前記少なくとも第２の素子は、前記第１の素子と通信可能に結合でき、前記読み出しシステムを介して、前記較正信号と前記第１の素子の前記第１の決定可能なパラメータの両方に依存する信号を読み出すステップは、前記信号の少なくとも一部分を前記第１の素子から前記少なくとも第２の素子に通信可能に結合し、また、前記読み出しシステムを介して、前記信号の少なくとも一部分を前記少なくとも第２の素子から読み出すステップを含み、その結果、前記少なくとも第２の素子は、前記第１の素子と前記読み出しシステムとの間の通信可能な結合を仲介する、請求項１４に記載の方法。
【請求項１９】
前記量子プロセッサは、超電導量子プロセッサを含み、前記第１の素子は、第１の超電導素子を含み、前記較正信号源は、超電導電流経路によって形成された超電導較正線を含み、前記量子プロセッサは、少なくとも第２の超電導素子を含み、前記第１の素子の前記第１の決定可能なパラメータは、前記第１の超電導素子と前記第２の超電導素子との間の相互インダクタンスを含み、
前記較正信号源を介して前記量子プロセッサに既知の値の較正信号を印加するステップは、前記超電導較正線を介して前記超電導量子プロセッサに既知の値の較正信号を印加するステップを含み、
前記較正信号の少なくとも一部分を前記較正信号源から前記第１の素子に通信可能に結合するステップは、前記較正信号の少なくとも一部分を前記超電導較正線から前記第１の超電導素子に通信可能に結合するステップを含み、
前記読み出しシステムを介して、前記較正信号と前記第１の素子の前記第１の決定可能なパラメータの両方に依存する信号を読み出すステップは、前記読み出しシステムを介して、前記較正信号と、前記第１の超電導素子と前記第２の超電導素子との間の前記相互インダクタンスの両方に依存する信号を読み出すステップを含み、
前記読み出しシステムを介して読み出された前記信号に少なくとも部分的に基づいて、前記第１の素子の前記第１の決定可能なパラメータに対する値を決定するステップは、前記読み出しシステムを介して読み出された前記信号に少なくとも部分的に基づいて、前記第１の超電導素子と前記第２の超電導素子との間の前記相互インダクタンスに対する値を決定するステップを含む、請求項１４に記載の方法。
【請求項２０】
前記量子プロセッサは、超電導量子プロセッサを含み、前記第１の素子は、第１の超電導素子を含み、前記較正信号源は、超電導電流経路によって形成された超電導較正線を含み、前記第１の素子の前記第１の決定可能なパラメータは、前記第１の超電導素子の永久電流を含み、
前記読み出しシステムを介して読み出された前記信号に少なくとも部分的に基づいて、前記第１の素子の前記第１の決定可能なパラメータに対する値を決定するステップは、前記読み出しシステムを介して読み出された前記信号に少なくとも部分的に基づいて、前記第１の超電導素子の前記永久電流に対する値を決定するステップを含む、請求項１４に記載の方法。
【請求項２１】
前記量子プロセッサは、第１の決定可能なパラメータを有する少なくとも第２の素子を含み、前記較正信号源は、前記少なくとも第２の素子と通信可能に結合でき、前記読み出しシステムは、前記少なくとも第２の素子と通信可能に結合できる、方法であって、
前記較正信号の少なくとも一部分を前記較正信号源から前記少なくとも第２の素子に通信可能に結合するステップと、
前記読み出しシステムを介して、前記較正信号と前記少なくとも第２の素子の前記第１の決定可能なパラメータの両方に依存する信号を読み出すステップと、
前記読み出しシステムを介して読み出された、前記較正信号と前記少なくとも第２の素子の前記第１の決定可能なパラメータの両方に依存する前記信号に少なくとも部分的に基づいて、前記少なくとも第２の素子の前記第１の決定可能なパラメータに対する値を決定するステップと
をさらに含む、請求項１４に記載の方法。
【請求項２２】
前記多数の素子の各素子は、少なくとも１つのそれぞれの決定可能なパラメータを有し、前記較正信号源は、前記多数の素子の各素子と通信可能に結合でき、前記読み出しシステムは、前記多数の素子の各素子と通信可能に結合できる、方法であって、
前記較正信号の少なくとも一部分を前記較正信号源から前記多数の素子の各素子に通信可能に結合するステップと、
前記読み出しシステムを介して、前記多数の素子の各素子からそれぞれの信号を読み出すステップであって、それぞれの信号の各々は、前記較正信号と前記信号が読み出された前記それぞれの素子の前記それぞれの決定可能なパラメータの両方に依存する、ステップと、
前記読み出しシステムを介して読み出されたそれぞれの信号の各々に少なくとも部分的に基づいて、それぞれの素子の各々の、前記それぞれの決定可能なパラメータに対するそれぞれの値を決定するステップと
をさらに含む、請求項１４に記載の方法。
【請求項２３】
前記少なくとも第１の素子は、第２の決定可能なパラメータを有する、方法であって、
前記少なくとも第１の素子の前記第１の決定可能なパラメータに対する前記値に少なくとも部分的に基づいて、前記少なくとも第１の素子の前記第２の決定可能なパラメータに対する値を決定するステップ
をさらに含む、請求項１４に記載の方法。